(57)【要約】【課題】  支柱２１、腕木２４、物品載置部材２５が固定連結されていながら、物品載置部材２５にわたって載置できない小横幅の物品Ｐも収納でき、しかも、強度面でも構造面でも有利に得られる倉庫用の物品収納棚構造体を提供する。【解決手段】  腕木２１と物品載置部材２５にわたって載置される物品載置用板状体２７を備えてある。物品載置用板状体２７は、腕木２４に対してＵボルト３０で連結され、物品載置部材２５から支柱２１が位置する側とは反対側に突出する。物品載置用板状体２７の物品受け止め部２７ａの両横側に、折れ曲がり部２７ｂ、２７ｃを備えてある。【選択図】        図３
2005067869.tif 000002
【特許請求の範囲】
【請求項１】
棚奥行き方向に並べて立設される複数本の支柱に、物品載置部が棚横幅方向に突出した姿勢で設けられている倉庫用の物品収納棚構造体であって、
前記物品載置部は、前記支柱から棚横幅方向に延出する状態で前記各支柱に固定連結された腕木、前記各腕木に固定連結された棚奥行き方向に沿う長尺状の物品載置部材、棚横幅方向での一端側が前記物品載置部材から前記支柱が位置する側とは反対側に突出した状態で前記各腕木及び前記物品載置部材にわたって載置されるとともに前記腕木に対して連結ネジ具によって連結される物品載置用板状体を備えて構成され、
前記物品載置用板状体の棚横幅方向での両端部のうちの前記支柱が位置する側とは反対側の端部に、物品載置用板状体の物品受け止め部から棚下方向きに延出した状態に前記物品受け止め部に対して折れ曲がった折れ曲がり部を備え、前記物品載置用板状体の前記両端部のうちの前記支柱が位置する側の端部に、物品載置用板状体の物品受け止め部から棚上方向きに延出した状態に前記物品受け止め部に対して折れ曲がった折れ曲がり部を備えてある倉庫用の物品収納棚構造体。
【請求項２】
前記物品載置部材に載置された物品の棚横幅方向での位置決めを行なうように載置物品に対して当接作用するストッパーを前記物品載置部材に設け、前記ストッパーが前記物品載置用板状体から上方に突出するように挿通する切欠きを前記物品載置用板状体に設け、前記連結ネジ具が棚奥行き方向視で前記ストッパーと前記支柱の間に配置されるように構成してある請求項１記載の倉庫用の物品収納棚構造体。
【請求項３】
前記連結ネジ具が、前記腕木に外嵌する状態に装着されるＵボルトである請求項１又は２記載の倉庫用の物品収納棚構造体。
【発明の詳細な説明】
【技術分野】
【０００１】
本発明は、棚奥行き方向に並べて立設される複数本の支柱に、物品載置部が棚横幅方向に突出した姿勢で設けられている倉庫用の物品収納棚構造体に関する。
【背景技術】
【０００２】
上記物品収納棚構造体にあっては、たとえば特許文献１に示されるように、物品載置部は、各支柱１２に固定連結された腕木１４、各腕木１４に固定連結された棚奥行き方向に沿う長尺状の腕木レール１５（物品載置部材に相当）を備えて構成される。
すなわち、製造工程において固定状態に組み立てられ、トラックなどによって設置場所に搬送されて、設置場所において物品収納棚に組み立てられるものである。
【０００３】
設置場所で物品収納棚に組み立てた状態において、棚横幅方向に隣り合う一対の腕木レール１５にわたって載置できる物品の他に、この物品に比して棚横幅方向での大きさが小で、一対の腕木レール１５にわたって載置できない小横幅の物品を収納できるようにすることが必要になる場合がある。また、大横幅の物品も、小横幅の物品も収納できるようにする他、物品収納棚の全体において、小横幅の物品を収納できるようにすることが必要になる場合もある。
【０００４】
この種の物品収納棚構造体において、従来、たとえば特許文献１に示されるように、腕木レール１５の本体部分１５ｂの端部にボルト１９ａとナット１９ｂによって連結されるはみ出し側部分１５ｂを備えたものがあった
【０００５】
この特許文献１に開示された物品収納棚構造体に関する技術からは、図９に示す如き物品収納棚構造体が推考される。
すなわち、各支柱２１に固定連結された腕木２４、各腕木２４に固定連結された物品載置部材２５、この物品載置部材２５の両端部にボルトで連結される物品載置体３５を備えて物品載置部２３を構成し、物品載置部材２５だけでは収納できない小横幅の物品でも、物品載置体３５によって収納できるように、物品収納棚構造体を構成することができる。
【０００６】
【特許文献１】特開２０００−２３３８１１号公報（〔００１７〕−〔００１８〕欄、図２−３）
【発明の開示】
【発明が解決しようとする課題】
【０００７】
上記した特許文献１に開示された技術から推考される物品収納棚構造体にあっては、小横幅の物品が収納できるように物品載置部材に連結される物品載置体のために、重量面や構造面で不利になりがちであった。
【０００８】
本発明の目的は、設置場所までの搬送が有利に行なえながら、小横幅の物品収納ができるようにでき、しかも、重量面や構造面でも有利に得られる倉庫用の物品収納棚構造体を提供することにある。
【課題を解決するための手段】
【０００９】
目的達成のために、本第１発明にあっては、棚奥行き方向に並べて立設される複数本の支柱に、物品載置部が棚横幅方向に突出した姿勢で設けられている倉庫用の物品収納棚構造体において、
前記物品載置部は、前記支柱から棚横幅方向に延出する状態で前記各支柱に固定連結された腕木、前記各腕木に固定連結された棚奥行き方向に沿う長尺状の物品載置部材、棚横幅方向での一端側が前記物品載置部材から前記支柱が位置する側とは反対側に突出した状態で前記各腕木及び前記物品載置部材にわたって載置されるとともに前記腕木に対して連結ネジ具によって連結される物品載置用板状体を備えて構成され、
前記物品載置用板状体の棚横幅方向での両端部のうちの前記支柱が位置する側とは反対側の端部に、物品載置用板状体の物品受け止め部から棚下方向きに延出した状態に前記物品受け止め部に対して折れ曲がった折れ曲がり部を備え、前記物品載置用板状体の前記両端部のうちの前記支柱が位置する側の端部に、物品載置用板状体の物品受け止め部から棚上方向きに延出した状態に前記物品受け止め部に対して折れ曲がった折れ曲がり部を備えてある。
【００１０】
すなわち、物品載置用板状体は、腕木に対して連結ネジ具によって連結されるものだから、製造工程で固定連結された組み立て状態にある支柱、腕木、物品載置部材は、物品載置用板状体を装着していないコンパクトな状態にして設置場所に搬送し、設置場所で収納棚に組み立てられた腕木と物品載置部材にわたって物品載置用板状体を装着することができる。そして、物品載置用板状体を装着すれば、この物品載置用板状体の一端側が物品載置部材から支柱が位置する側とは反対側に棚横幅方向に突出して、隣り合う一対の物品収納棚構造体の物品載置用板状体どうしの間隔が、物品載置部材どうしの間隔より小になり、棚横幅方向での大きさが小さくて物品載置部材どうしにわたって載置することができない小横幅の物品であっても物品載置用板状体どうしにわたって載置することができるようになる。
【００１１】
物品載置用板状体を腕木と物品載置部材にわたって載置するように構成したものだから、物品載置部の載置面積を拡大する部材として構造簡単な物品載置用板状体を採用することにより、小横幅物品の収容が可能になる。
【００１２】
物品載置用板状体の両端部に前記折り曲げ部を備えてあるものだから、物品載置用板状体の肉厚を比較的薄くしても、物品載置用板状体は、各折り曲げ部によって補強されて載置物品を強固に支持するようになる。
【００１３】
従って、本第１発明によれば、固定連結された組み立て状態にある支柱、腕木、物品載置部材を、物品載置用板状体を装着していないコンパクトな状態にして、トラックの荷台にはみ出ないようにして積載したり、はみ出ても極力少ないはみ出しになるようにして積載して有利に搬送できながら、設置場所において、物品載置用板状体を装着して物品載置部どうしの間隔を物品載置部材どうしの間隔よりも小さい間隔にし、小横幅の物品でも収納できるようにできる。しかも、構造簡単かつ薄肉でありながら優れた支持強度を発揮する物品載置用板状体を採用して軽量に得ることができるとともに、比較的重い物品でも収容できるように強固な状態に得ることができる。
【００１４】
本第２発明にあっては、本第１発明の構成において、前記物品載置部材に載置された物品の棚横幅方向での位置決めを行なうように載置物品に対して当接作用するストッパーを前記物品載置部材に設け、前記ストッパーが前記物品載置用板状体から上方に突出するように挿通する切欠きを前記物品載置用板状体に設け、前記連結ネジ具が棚奥行き方向視で前記ストッパーと前記支柱の間に配置されるように構成してある。
【００１５】
すなわち、物品載置用板状体を装着しても、物品載置部材のストッパーが物品載置用板状体の切欠きを挿通して物品載置用板状体の上方に突出し、かつ、連結ネジ具が棚奥行き方向視でストッパーと支柱の間に位置してストッパーが載置物品に当接することの障害物にならないものである。これにより、物品載置用板状体の上に大横幅の物品が載置された場合でも、ストッパーが載置物品に当接作用して位置決めするようにできる。
【００１６】
従って、本第２発明によれば、物品載置板状体を装着して大横幅の物品を収納する場合でも、ストッパーによる位置決めが行なわれて、物品が支柱に当たったり、支柱間に入り込んだりする収納トラブルが発生しないようにしながら収納することができる。
【００１７】
本第３発明にあっては、本第１又は第２発明の構成において、前記連結ネジ具が、前記腕木に外嵌する状態に装着されるＵボルトである。
【００１８】
すなわち、連結ネジ具が腕木に外嵌するＵボルトであるものだから、腕木にネジ孔を設けなくとも、物品載置用板状体を腕木に対して連結できる。
【００１９】
従って、本第３発明によれば、物品載置用板状体を腕木にネジ連結するものでありながら、腕木にネジ孔を設ける作業が不要で能率よく組み立て作業することができる。
【発明を実施するための最良の形態】
【００２０】
以下、本発明の実施例を図面に基づいて説明する。
図１に示すように、物品収納部１が物品収納棚２の横及び上下方向に並んでいる前記物品収納棚２の一対を、前面側どうしが対向した状態で備え、一対の物品収納棚２，２どうしの間を下レール３と上レール４に案内されて物品収納棚２の前面に沿って移動するスタッカークレーン１０を備え、物品収納棚２の横側に物品載置台５を有した物品搬出入部６を設けて、自動倉庫を構成してある。
【００２１】
この自動倉庫は、スタッカークレーン１０の前記上下レール３，４に沿って自走する自走台車１１、この自走台車１１が有する支柱１２に沿って昇降駆動される昇降台１３、この昇降台１３から物品収納棚２の物品収納部１や物品搬出入部６の物品載置台５に対して物品ＡをパレットＰと共に出し入れするように昇降台１３に駆動自在に設けた物品出し入れ装置１４が運転指令に基づいて自動的に運転され、物品搬出入部６の物品載置台５にパレットＰに載置した状態で搬入された物品Ａを、スタッカークレーン１０によって物品載置台５からパレットＰと共に取り出して所定の物品収納棚２の物品収納部１に搬送し、この物品収納部１にパレットＰと共に収納する。また、物品収納棚２の各物品収納部１にパレットＰに載置した状態で収納されている物品Ａを、スタッカークレーン１０によってパレットＰと共に物品収納部１から取り出して物品搬出入部６に搬送し、この物品搬出入部６の物品載置台５にパレットＰと共に載置するものである。
【００２２】
図１に示すように、前記各物品収納棚２は、物品収納棚２の奥行き方向に並ぶ複数本の支柱２１が備えられた物品収納棚構造体２０の複数個を、物品収納棚２の横方向に所定の構造体間隔を隔てて並ぶ状態に組み立てて床面上に設置することによって構成してある。
図１に示すように、一つのスタッカークレーン１０に対応する物品収納棚２と、このスタッカークレーン１０に隣り合う別のスタッカークレーン（図示せず）に対応する物品収納棚２とは、背面側で連結し合った状態に構成して設置してある。このため、図１，２に示すように、棚前後方向に背面側で連結し合って並ぶ一対の物品収納棚２，２の一方の物品収納棚２を構成する物品収納棚構造体２０と、他方の物品収納棚２を構成する物品収納棚構造体２０とは、各物品収納棚構造体２０の棚奥側の支柱２１を兼用した状態になり、かつ、この奥側の支柱２１を介して一つの構造体に連結し合った状態になっている。
【００２３】
図２に示すように、前記各物品収納棚構造体２０は、物品収納棚２の奥行き方向に並ぶ前記２本の支柱２１、この２本の支柱２１，２１の間の上下複数段箇所に一端側と他端側が異なる配置レベルに位置するように斜めに配置されているとともに一端側が一方の支柱２１の側面に、他端側が他方の支柱２１の側面にそれぞれ溶接されていて２本の支柱２１，２１を固定連結している支柱連結部材２２、物品収納棚構造体２０の一方の側面側の上下複数段箇所、及び、他方の側面側の上下複数段箇所で前記２本の支柱２１，２１に棚横幅方向に突出した姿勢で設けた物品載置部２３を備えて構成してある。
【００２４】
図３，４に示すように、前記各物品載置部２３は、前記２本の支柱２１，２１のうちの棚手前側に位置する方の支柱２１から棚横幅方向に延出されるとともに基端側がその支柱２１の棚奥側に向かっている側面に溶接によって固定連結された腕木２４、前記２本の支柱２１，２１のうちの棚奥側に位置する方の支柱２１から棚横幅方向に延出されるとともに基端側がその支柱２１の棚手前側の側面に溶接によって固定連結された腕木２４、前記棚手前側の腕木２４と前記棚奥側の腕木２４の延出端側にわたって設けられるとともに各腕木２４に対して溶接によって固定連結された棚奥行き方向に沿う長尺状の角形鋼管材で成る物品載置部材２５、この物品載置部材２５の棚奥行き方向での中間部に連結部２６ａで連結するように構成して設けたストッパー２６、前記物品載置部材２５と前記棚手前側及び棚奥側の腕木２４にわたって装着される物品載置用板状体２７を備えて構成してある。
【００２５】
物品収納棚構造体２０の一方の側面側の物品載置部２３を構成する腕木２４と、他方の側面側の物品載置部２３を構成する腕木２４とは、同一の角形鋼管材によって構成してある。すなわち、支柱２１に中間部が溶接された一本の角形鋼管材によって構成してある。
【００２６】
図３，５に示すように、前記物品載置用板状体２７は、棚横幅方向での中間部が物品受け止め部２７ａになるように、かつ、棚横幅方向での一端側の端部が、物品受け止め部２７ａから下向きに延出した状態に物品受け止め部２７ａに対して折れ曲がった補強用の折れ曲がり部２７ｂになるように、さらに、棚横幅方向での他端側の端部が、物品受け止め部２７ａから上方向きに延出した状態に物品受け止め部２７ａに対して折れ曲がった補強用の折れ曲がり部２７ｃになるように折り曲げ成形した一枚の折り曲げ板金によって構成してある。前記物品受け止め部２７ａの棚前後方向での中間部に矩形の切欠き２８を設け、物品受け止め部２７ａの棚前後方向での両端部に、棚前後方向に並ぶ一対の長孔形のボルト孔２９を設けてある。
すなわち、図３，４に示すように、物品載置用板状体２７は、物品受け止め部２７ａから上方向きに延出した状態の折れ曲がり部２７ｃが、物品載置部材２５に対して前記支柱２１が位置する側に位置し、物品受け止め部２７ａから下向きに延出した状態の折れ曲がり部２７ｂが物品載置部材２５に対して前記支柱２１が位置する側とは反対側に位置する装着姿勢にして、物品受け止め部２７ａによって物品載置部材２５と棚奥側の腕木２４と棚手前側の腕木２４にわたって載置し、図４，６に示す如く棚奥側の腕木２４及び棚手前側の腕木２４に対して外嵌するようにして、かつ、両端部が前記ボルト孔２９を挿通するようにして装着した一対のＵボルト３０と、各Ｕボルト３０の端部に装着したナット３１とによる締め付け力によって各腕木２４に対して締め付け連結するように構成してある。このように装着した状態では、物品載置用板状体２７の棚横方向での一端側、すなわち前記下向き折れ曲がり部２７ｂが位置する方の一端側が、前記物品載置部材２５から支柱２１が位置する側とは反対側に突出した状態になるように構成してある。さらに、図３に示すように、前記ストッパー２６の上端側が前記切欠き２８を挿通して物品載置用板状体２７の物品受け止め部２７ａから上方に突出するように構成してある。さらに、Ｕボルト３０が棚奥行き方向視で前記ストッパー２６と支柱２１の間に配置された状態になって、ストッパー２６がパレットＰに対して当接作用することの障害物にならないように構成してある。
【００２７】
つまり、図３，４に示すように、物品収納棚２の横幅方向に隣り合う一対の物品収納棚構造体２０の一方の物品収納棚構造体２０における上下複数段の物品載置部２３のうちの一つの物品載置部２３と、他方の物品収納棚構造体２０における上下複数段の物品載置部２３のうちの一つの物品載置部２３とによって、一つの物品収納部１を構成してある。
すなわち、隣り合う一対の物品収納棚構造体２０のうちの一方の物品収納棚構造体２０において棚手前側及び棚奥側の腕木２４と、この両腕木２４に固定連結の物品載置部材２５とにわたって装着された物品載置用板状体２７に、パレットＰの棚横幅方向での一端側を載置し、他方の物品収納棚構造体２０において棚手前側及び棚奥側の腕木２４と、この両腕木２４，２４に固定連結の物品載置部材２５とにわたって装着された物品載置用板状体２７に、パレットＰの棚横幅方向での他端側を載置するようにしてある。
物品載置用板状体２７が物品載置部材２５から棚横幅方向に突出していて物品載置用板状体２７どうしの間隔Ｄ２が、物品載置部材２５どうしの間隔Ｄ１より小の間隔になっていることから、図３の如くパレットＰの棚横方向での大きさＷ２が物品載置部材２５どうしの間隔Ｄ１より小さいパレットＰの場合でも、このパレットＰを物品載置用板状体２７にわたって載置して物品収納できる。
【００２８】
また、図７に示すように、パレットＰの棚横幅方向での大きさＷ１が、物品載置部材２５どうしの間隔Ｄ１より大きいパレットＰの場合、この大型パレットＰの棚横幅方向での両端側を、物品載置用板状体２７を介して物品載置部材２５に載置するようにしてある。この場合、パレットＰが支柱２１の方にずれ動こうとすると、ストッパー２６の物品載置用板状体２７から上方に突出している先端側が、パレットＰの端面に当接作用してパレットＰをそれ以上支柱２１の方に移動しないように位置決めする。これによってパレットＰが支柱２１に当たるなどの事態が発生することを防止される。
【００２９】
また、図８に示すように、物品載置用板状体２７を使用しないことにより、パレットＰの棚横幅方向での大きさＷ１が物品載置部材２５どうしの間隔Ｄ１より大きい横幅Ｗ１を有するパレットＰのみを物品載置部材２５にわたって載置するように、大型パレット専用の物品収納部１を構成できるようになっている。この場合も、前記ストッパー２６は、物品載置部材２５の載置面より上方に突出しており、パレットＰの端面に当接作用してパレットＰの位置決めを行なう。
【００３０】
〔別実施形態〕
上記実施形態の如く物品ＡをパレットＰに載置した状態で収納するように構成したもののほか、パレットＰを使用しないで、物品Ａを物品載置部２３に直接載置して収納するように構成する場合にも本発明は適用できる。従って、パレットＰを物品Ｐと呼称する。
【００３１】
上記実施形態の如く、棚前後方向に背後側が対向し合う状態で並ぶ一対の物品収納棚２の一方を構成する物品収納棚構造体２０と、他方を構成する物品収納棚構造体２０を、連結し合った一体構造にして構成して実施する他、その両物品収納棚構造体２０を分離した個別の構造体に構成して実施する場合にも、本発明は適用できる。
【００３２】
また、上記実施形態の如く棚奥行き方向に並ぶ２本の支柱２１を採用して一つの物品収納棚構造体２０を構成して実施する他、棚奥行き方向に並ぶ３本以上の支柱を採用して一つの物品収納棚構造体２０を構成して実施してもよい。
【００３３】
上記実施形態の如くＵボルト３０を採用して物品載置用板体２７を腕木２４に連結するように構成して実施する他、物品載置用板状体２７を挿通して腕木２７のネジ孔に螺合するように構成した連結ボルトなどを採用して物品載置用板状体２７を腕木２４に連結するように構成して実施しても、本発明の目的を達成できる。従って、Ｕボルト３０や連結ボルトなどを総称して連結ネジ具３０と呼称する。
【００３４】
上記実施形態の如くスタッカークレーン１０が自動運転されるように構成した倉庫に設けられる物品収納棚構造体の他、スタッカークレーンがこれに搭乗した作業者によって運転されるように構成した倉庫に設けられる物品収納棚構造体にも、本発明は適用できる。
【図面の簡単な説明】
【００３５】
【図１】自動倉庫の一部を示す斜視図
【図２】物品収納棚構造体の一部を示す斜視図
【図３】物品収納部の正面図
【図４】物品収納部の平面図
【図５】物品載置用板状体の斜視図
【図６】物品載置用板状体の連結部での断面図
【図７】物品収納部の大横幅パレットの載置状態を示す正面図
【図８】大型パレット専用の物品収納部の正面図
【図９】比較構造の物品載置部の平面図
【符号の説明】
【００３６】
２１        支柱
２３        物品載置部
２４        腕木
２５        物品載置部材
２６        ストッパー
２７        物品載置用板状体
２７ａ      物品載置用板状体の物品受け止め部
２７ｂ、２７ｃ    折れ曲がり部
３０        連結ネジ具
Ｐ          物品
【図１】
2005067869.tif 000003
【図２】
2005067869.tif 000004
【図３】
2005067869.tif 000005
【図４】
2005067869.tif 000006
【図５】
2005067869.tif 000007
【図６】
2005067869.tif 000008
【図７】
2005067869.tif 000009
【図８】
2005067869.tif 000010
【図９】
2005067869.tif 000011